(57)【要約】【課題】複写牽制画像にランダムドットステレオグラムを用いることにより、複写牽制画像の原本での隠蔽性と、原本の印刷内容の複写後の再現性を高める。【解決手段】印刷制御装置１は、ランダムドットステレオグラムを構成する最小ドットのうち、複写牽制文字（図６（ａ）の「複写」）上のドットを、複写機により読み取り可能な最小のドットサイズよりも小さいドット（複写消失ドット）に変換し、複写牽制文字以外の領域のドットを、複写機により読み取り可能な最小のドットよりも大きいドット（複写残存ドット）に変換することによって複写牽制画像を生成し、印刷出力する。【選択図】            図６
2004209871.tif 000002
【特許請求の範囲】
【請求項１】
複写機による複写によって消失する複写消失画像と、複写機による複写によって残存する複写残存画像とを含む、複写を牽制するための複写牽制画像の印刷を制御する印刷制御装置において、
前記複写消失画像及び前記複写残存画像と、立体視により視認可能なランダムドットステレオグラムを合成する合成手段と、
前記合成手段により合成された画像を印刷装置により出力させる出力制御手段と、
を備えることを特徴とする印刷制御装置。
【請求項２】
前記合成手段は、前記複写牽制画像の内容に基づいて、前記ランダムドットステレオグラムを構成する最小単位のドットを、複写機により読み取り可能な最小のドットよりも小さいドットに変換することにより、当該ランダムドットステレオグラムと前記複写消失画像を合成し、当該ランダムドットステレオグラムを構成する最小単位のドットを、複写機により読み取り可能な最小のドットよりも大きいドットに変換することにより、当該ランダムドットステレオグラムと前記複写残存画像を合成することを特徴とする請求項１に記載の印刷制御装置。
【請求項３】
前記ランダムドットステレオグラムは、カラー画像であることを特徴とする請求項１又は２に記載の印刷制御装置。
【請求項４】
複写機による複写によって消失する複写消失画像と、複写機による複写によって残存する複写残存画像とを含む、複写を牽制するための複写牽制画像の印刷を制御するコンピュータに、
前記複写消失画像及び前記複写残存画像と、立体視により視認可能なランダムドットステレオグラムを合成する合成機能と、
前記合成機能により合成された画像を印刷装置により出力させる出力制御機能と、
を実現させるためのプログラム。
【発明の詳細な説明】
【０００１】
【発明の属する技術分野】
本発明は、複写を牽制する複写牽制画像付きの印刷物の印刷を制御する印刷制御装置及びプログラムに関する。
【０００２】
【従来の技術】
従来より、金券や各種認定書、証明書等の重要な印刷物（原本）の複写による不正使用を防ぐために、これらの原本に、複写を牽制する複写牽制画像（隠し文字等）を印刷するための様々な方法が提案されている（例えば、特許文献１参照。）。このような複写牽制画像としては、複写機による複写によって消失する複写消失画像と、複写しても残存する複写残存画像と、原本における複写消失画像と複写残存画像との境界等を隠蔽するための柄画像が組み合わされたものが知られている。複写消失画像、複写残存画像及び柄画像の組み合わせにより生成された複写牽制画像が含まれる原本を複写すると、例えば、原本では視認できない文字や図形が複写物上に浮かび上がってくる。
【０００３】
【特許文献１】
特開２００１−２３８０７５号公報
【０００４】
【発明が解決しようとする課題】
しかしながら、従来の複写牽制画像を作成する技術では、複写牽制画像の原本における隠蔽性を高めるために、柄画像により白抜きの領域を増やすなどの処理を施すと、複写後に、原紙での印刷内容を十分再現することができず、複写牽制画像の原本における隠蔽性と、印刷内容の複写後の再現性の双方を高めるのが困難であるという問題があった。
【０００５】
本発明の課題は、複写牽制画像にランダムドットステレオグラムを用いることにより、複写牽制画像の原本での隠蔽性と、複写後における原本の印刷内容の再現性を高めることである。
【０００６】
【課題を解決するための手段】
請求項１記載の発明は、複写機による複写によって消失する複写消失画像と、複写機による複写によって残存する複写残存画像とを含む、複写を牽制するための複写牽制画像の印刷を制御する印刷制御装置において、前記複写消失画像及び前記複写残存画像と、立体視により視認可能なランダムドットステレオグラムを合成する合成手段と、前記合成手段により合成された画像を印刷装置により出力させる出力制御手段と、を備えることを特徴としている。
【０００７】
従って、複写消失画像と、複写残存画像と、ランダムドットステレオグラムとを合成して複写牽制画像を生成することにより、複写牽制画像の原紙における隠蔽性を高めるとともに、原紙での印刷内容を複写後においても十分再現することができる。
【０００８】
【発明の実施の形態】
以下、図を参照して本発明の実施の形態を詳細に説明する。
まず、構成を説明する。
【０００９】
図１は、本発明を適用した実施の形態における印刷制御装置１の主要部構成を示すブロック図である。図１に示すように、印刷制御装置１は、ＣＰＵ（Ｃｅｎｔｒａｌ  Ｐｒｏｃｅｓｓｉｎｇ  Ｕｎｉｔ）２、表示部３、入力部４、伝送制御部５、ＲＡＭ（Ｒａｎｄｏｍ  Ａｃｃｅｓｓ  Ｍｅｍｏｒｙ）６、記憶装置７及び印刷装置８を備えて構成され、各部はバス９により接続されている。
【００１０】
ＣＰＵ２は、記憶装置７に格納された各種制御プログラムを読み出してＲＡＭ６内に展開し、それらの制御プログラムに従って、印刷制御装置１の各部を集中制御する。以下、ＣＰＵ２による各種制御動作の詳細を説明する。
【００１１】
ＣＰＵ２は、入力部４から入力される指示に従って、ランダムドットステレオグラムに複写牽制文字を合成することにより複写牽制画像を生成し（図４参照）、その生成された複写牽制画像が埋め込まれた印刷物を出力させる印刷処理（図３参照）を実行する。なお、本実施の形態では、印刷処理の一例として、見積書、納品書、請求書等の帳票を印刷する場合について示すが、印刷処理により出力される印刷物は、これに限定されない。
【００１２】
ここで、ランダムドットステレオグラムとは、人間の左右の目の視差（両眼視差）を利用して両目の焦点を調節することにより、平面上で立体的な画像を視認することができる、ランダムな点模様により構成されるステレオグラム（立体画）である。また、本実施の形態において、複写牽制文字とは、印刷装置８から出力された印刷物（原本）では視認できないが、複写機により複写することによって視認可能になる文字を示す。
【００１３】
ＣＰＵ２は、複写牽制画像を生成する際、ランダムドットステレオグラムを機能させるための最小構成単位のドットのうち、複写牽制文字上のドットを、複写機により読み取り可能な最小のドットサイズよりも小さいサイズのドットである複写消失ドットに変換する処理を行う。また、ＣＰＵ２は、複写牽制文字列以外のドットを、複写機により読み取り可能な最小のドットサイズよりも大きいドットである複写残存ドットに変換する処理を行う（図４参照）。複写によって消失される複写消失画像は、複写消失ドットで構成され、複写によって残存する複写残存画像は、複写残存ドットで構成されている。
【００１４】
なお、複写牽制文字列と合成されるランダムドットステレオグラムは、モノクロでもカラーでもよい。また、プリンタ原色を複数用いるようにしてもよい。
【００１５】
表示部３は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）等の表示画面を有し、ＣＰＵ２から入力される表示信号に従って所要の表示を行う。
【００１６】
入力部４は、文字入力キー、テンキー、カーソルキー及び各種機能キーを備えたキー入力装置や、マウス等のポインティングデバイス等を備え、キー入力装置やポインティングデバイスの操作による操作信号をＣＰＵ２へ出力する。
【００１７】
伝送制御部５は、モデム（ＭＯＤＥＭ：ＭＯｄｕｌａｔｏｒ／ＤＥＭｏｄｕｌａｔｏｒ）、ルータ、ＴＡ（Ｔｅｒｍｉｎａｌ  Ａｄａｐｔｅｒ）等によって構成され、電話回線、専用線、ＩＳＤＮ回線等の通信回線を介して外部機器と通信を行うための制御を行う。
【００１８】
ＲＡＭ６は、ＣＰＵ２により実行される各種制御プログラムをプログラム格納領域に展開するとともに、入力部４により入力された入力指示、入力データ、上記制御プログラムの実行により生じる処理結果等のデータをワークメモリに一時的に格納する。
【００１９】
この記憶装置７は、磁気的記録媒体、光学的記録媒体又は半導体メモリなど、ＣＰＵ２による読み取り・書き込み可能な記録媒体を備えて構成される。この記録媒体は、ＣＤ−ＲＯＭ、メモリカード等の可搬型の媒体やハードディスク等の固定的な媒体を含む。また、この記録媒体に格納するプログラムやデータ等は、その一部若しくは全部をサーバやクライアントからＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）等のネットワークを介して伝送制御部５から受信する構成にしてもよい。更に、記憶装置７は、ネットワーク上に構築されたサーバやクライアントの記録媒体であってもよい。
【００２０】
また、この記録媒体に記憶するプログラム、データ等は、その一部又は全部をサーバやクライアント等の他の機器からネットワーク回線等の伝送媒体を介して伝送制御部５から受信して記憶する構成にしてもよい。更に、記憶装置７は、ネットワーク上に構築されたサーバの記録媒体であってもよい。更に、記録媒体に記憶するプログラムをネットワーク回線等の伝送媒体を介してサーバやクライアントの外部機器へ伝送して、これらの外部機器にインストールするように構成してもよい。
【００２１】
記憶装置７は、ＣＰＵ２により実行される各種制御プログラムや、それらの制御プログラムで使用するデータ等を予め記憶している。図２に、記憶装置７内のファイル構成を模式的に示す。記憶装置７には、業務アプリケーションファイル７１、プログラムファイル７２、帳票フォームデータファイル７３、印刷データファイル７４等の各ファイルが記憶されている。
【００２２】
業務アプリケーションファイル７１は、ＣＰＵ２により実行される各種アプリケーションプログラムのファイルであり、例えば、見積書や納品書の作成等の各種業務処理を行うためのアプリケーションプログラムを含む。プログラムファイル７２は、ＣＰＵ２により印刷制御装置１の各部を制御するためのシステムプログラム等のファイルである。
【００２３】
帳票フォームデータファイル７３は、印刷制御装置１によって作成される帳票のフォームを示す帳票フォームデータを含む。帳票フォームデータとしては、例えば、見積書、納品書、請求書等の各帳票について、罫線や客先名、商品名、金額等の各種情報の印字位置を定めるデータが含まれる。印刷データファイル７４は、上記業務処理により作成される印刷データ（例えば、取引先名や商品名、金額等）を含むファイルである。
【００２４】
印刷装置８は、レーザプリンタ、インクジェット式プリンタ、昇華型プリンタ等のプリンタであり、ＣＰＵ２から入力される制御信号に従って印刷出力を行う。なお、印刷装置８を、印刷制御装置１と別体にして設けるようにしてもよい。
【００２５】
次に、本実施の形態における動作を説明する。
図３及び図４は、印刷制御装置１の動作を説明するためのフロ−チャートである。これらのフローチャートは、印刷制御装置１を構成するコンピュータに各機能を実現させるためのプログラムを説明するためのものである。これらのプログラムはＣＰＵ２が読み取り可能なプログラムコードの形態で記録媒体に格納されている例で説明するが、全ての機能を記録媒体に格納する必要はなく、必要に応じて、その一部又は全部を通信ネットワークを介して伝送制御部５から受信して実現するようにしてもよい。
【００２６】
まず、図３のフローチャートを参照して、印刷制御装置１において実行される印刷処理について説明する。
【００２７】
入力部４により印刷処理が指示されると、表示部３の画面上に、図５に示すような複写牽制画像編集画面３１が表示される（ステップＳ１）。次いで、複写牽制画像編集画面３１の文字入力部３１３、フォント選択部３１４、文字サイズ選択部３１５において、複写牽制文字の入力が行われる。
【００２８】
確定指示ボタン３２１の操作によって入力内容が確定されると、文字入力部３１３における文字入力が受け付けられ（ステップＳ２）、入力文字のデータが、ＲＡＭ６のワークエリアに一時的に記憶される。同様に、フォント選択部３１４における文字フォントの入力（ステップＳ３）、文字サイズ選択部３１５における文字サイズの入力（ステップＳ４）がそれぞれ受け付けられ、入力内容がＲＡＭ６内のワークエリアに一時的に記憶される。
【００２９】
次いで、ステップＳ２〜Ｓ４で受け付けられた入力内容に基づいて複写牽制文字が生成され、プレビュー用の複写牽制画像が生成され、複写牽制画像編集画面３１のプレビュー部３１１に表示される（ステップＳ５）。
【００３０】
ここで、入力部４が有するポインティングデバイスの操作によって、プレビュー部３１１に表示された複写牽制文字３１２の移動が指示されると、その指示に従って、プレビュー部３１１における表示が更新される（ステップＳ６）。
【００３１】
また、入力部４が有するポインティングデバイスの操作によって、プレビュー部３１１に表示された複写牽制文字３１２の角度の変更が指示されると、その指示が受け付けられ（ステップＳ７）、その指示に従って、プレビュー部３１１における表示が更新される（ステップＳ８）。
【００３２】
次いで、後述する複写牽制画像生成処理が実行され（ステップＳ９、図４参照）、この複写牽制画像生成処理により生成された複写牽制画像が、ＲＡＭ６内のワークエリアに一時的に記憶される（ステップＳ１０）。
【００３３】
次いで、印刷装置８により印刷すべき帳票に係る帳票フォームデータと印刷データが、それぞれ、記憶装置７に記憶された帳票フォームデータファイル７３、印刷データファイル７４から読み出されて合成されることにより、帳票印刷用データが生成される。そして、この帳票印刷用データと、ステップＳ９で生成された複写牽制画像とが合成されて合成帳票データが生成される（ステップＳ１１）。
【００３４】
合成帳票データが生成されると、帳票の印刷が受け付けられ（ステップＳ１２）、その生成された合成帳票データに基づいて、印刷装置８において帳票が印刷される（ステップＳ１３）。
【００３５】
次に、図４のフローチャートを参照して、図３のステップＳ９に示した複写牽制画像生成処理について説明する。
【００３６】
まず、表示部３の画面上に表示されている複写牽制画像編集画面３１の文字入力部３１３、フォント選択部３１４、文字サイズ選択部３１５において、立体文字列が入力される（ステップＳ２１）。ここで、本実施の形態において、立体文字とは、立体視により視認可能になる文字を示す。
【００３７】
確定指示ボタン３２１の操作によって入力内容が確定されると、ステップＳ２１で入力された立体文字列が受け付けられ（ステップＳ２２）、その立体文字列のデータがＲＡＭ６のワークエリアに一時的に記憶される。
【００３８】
次いで、ステップＳ２２で受け付けられた立体文字列に基づいてランダムドットステレオグラムが生成され（ステップＳ２３）、生成されたランダムドットステレオグラムが、ＲＡＭ６のワークメモリに一時的に記憶される（ステップＳ２４）。ここで、ランダムドットを構成する最小ドットは、印刷装置８の解像度によらないため、印刷装置８の解像度より十分大きくするものとする。
【００３９】
次いで、図３のステップＳ２〜４において受け付けられた複写牽制文字列が印刷領域全体に描画され、ＲＡＭ６のワークメモリに一時的に記憶される（ステップＳ２５）。そして、ステップＳ２５において複写牽制文字列が描画された領域が拡大される（ステップＳ２６）。
【００４０】
次いで、ステップＳ２６で拡大された描画領域の左上から順番に、ＲＡＭ６のワークメモリに一時的に記憶されていたランダムドットステレオグラムの画像と複写牽制文字列の画像が１ドットずつ比較され（ステップＳ２７）、比較対象のドットが、複写牽制文字列上のドットであるか否かが判定される（ステップＳ２８）。
【００４１】
ステップＳ２８において、比較対象のドットが、複写牽制文字列上のドットであると判定された場合（ステップＳ２８；ＹＥＳ）、そのドットは、複写消失ドットに変換される（ステップＳ２９）。一方、ステップＳ２８において、比較対象のドットが、複写牽制文字列上のドットでないと判定された場合（ステップＳ２８；ＮＯ）、そのドットは、複写残存ドットに変換される（ステップＳ３０）。
【００４２】
図６に、ランダムドットステレオグラムの最小構成ドットから、複写残存ドット及び複写消失ドットへの変換の例を示す。図６（ａ）に示す複写牽制文字「複写」上の線分ＡＡ’に対応するランダムドットの最小構成ドット（図６（ｂ））は、図６（ｃ）に示すように、複写牽制文字上のドットであれば複写消失ドットに変換され、複写牽制文字以外のドットであれば複写残存ドットに変換される。
【００４３】
ステップＳ２９における複写消失ドットへの変換、ステップＳ３０における複写残存ドットへの変換が終了すると、該当する描画領域を構成する全てのドットについて、複写残存ドット又は複写消失ドットへの変換処理が行われたか否かが判定される（ステップＳ３１）。
【００４４】
ステップＳ３１において、該当する描画領域を構成する全てのドットについて、複写残存ドット又は複写消失ドットへの変換処理が終了していないと判定された場合（ステップＳ３１；ＮＯ）、ステップＳ２７に戻る。
【００４５】
一方、該当する描画領域の一番右下のドットについて、複写残存ドット又は複写消失ドットへの変換処理が終了することにより、その描画領域を構成する全てのドットについて、その変換処理が終了したと判定された場合（ステップＳ３１；ＹＥＳ）、本複写牽制画像生成処理は終了し、図３のステップＳ１０に移行する。
【００４６】
図７に、図３の印刷処理により出力された印刷物（原紙）αの一例を示す。図７では、通常視では確認できない立体文字列「３Ｄ」が、立体視により浮かび上がった場合を示している。この印刷物αには、複写牽制文字列「複写」が埋め込まれている。
【００４７】
図７に示す印刷物αにおいて、複写牽制文字上のドットは複写消失ドットで構成され、複写牽制文字以外のドットは複写残存ドットで構成されているため、印刷物αを複写した複写物βでは、図８に示すように、複写牽制文字「複写」が白抜きになって浮き出てくる。また、ランダムドットの最小構成単位のドットを、複写消失ドット及び複写残存ドットに変換したことから、複写物βを立体視しても、立体文字列「３Ｄ」を読み取ることはできない。
【００４８】
以上のように、本実施の形態の印刷制御装置１によれば、複写牽制画像の構成要素である柄画像の代わりに、ランダムドットステレオグラムを用いることにより、複写牽制画像の原紙における隠蔽性を高めるとともに、原紙での印刷内容を複写後においても十分再現することができる。
【００４９】
また、ランダムドットステレオグラムを機能させるための最小構成単位のドットのうち、複写牽制文字列上のドットを複写消失ドットに変換し、複写牽制文字列以外のドットを複写残存ドットに変換することにより、複写物では、複写牽制文字が明瞭に浮き出る一方で、ランダムドットの機能が失われて、原紙では可読であった立体文字が消失するため、複写物の牽制効果を高めることができる。特に、カラーのランダムドットステレオグラムを用いた場合、原紙で立体文字を出現させる機能を更に向上させることができる。
【００５０】
なお、本実施の形態における記述内容は、本発明の趣旨を逸脱しない範囲で適宜変更可能である。
【００５１】
例えば、本実施の形態においては、ランダムドットステレオグラムに複写牽制文字を合成するものとしたが、複写残存領域と複写消失領域で表された模様を合成するものとしてもよい。
【００５２】
【発明の効果】
請求項１及び４に記載の発明によれば、複写消失画像と、複写残存画像と、ランダムドットステレオグラムとを合成して複写牽制画像を生成することにより、複写牽制画像の原紙における隠蔽性を高めるとともに、原紙での印刷内容を複写後においても十分再現することができる。
【図面の簡単な説明】
【図１】本発明を適用した実施の形態における印刷制御装置１の主要部構成を示すブロック図。
【図２】記憶装置７内のファイル構成を模式的に示す図。
【図３】印刷制御装置１により実行される印刷処理を示すフローチャート。
【図４】図３のステップＳ９における複写牽制画像生成処理を詳細に示すフローチャート。
【図５】図３に示す印刷処理の実行中に表示部３に表示される複写牽制画像編集画面３１を示す図。
【図６】ランダムドットステレオグラムを構成する最小のドットから複写残存ドット及び複写消失ドットへの変換を説明するための図。
【図７】印刷装置８により出力された印刷物（原紙）の一例であり、立体視により文字「３Ｄ」が浮き上がっている様子を示す図。
【図８】図７に示す印刷物αを複写した場合の複写物βを示す図。
【符号の説明】
１  印刷制御装置
２  ＣＰＵ
３  表示部
３１  複写牽制画像編集画面
４  入力部
５  伝送制御部
６  ＲＡＭ
７  記憶装置
８  印刷装置
９  バス
α  印刷物
β  複写物
【図１】
2004209871.tif 000003
【図２】
2004209871.tif 000004
【図３】
2004209871.tif 000005
【図４】
2004209871.tif 000006
【図５】
2004209871.tif 000007
【図６】
2004209871.tif 000008
【図７】
2004209871.tif 000009
【図８】
2004209871.tif 000010